(57)【特許請求の範囲】
【請求項１】
縦方向に沿って延びている二本の導電部材と、棚と、ＬＥＤライトバーと、二つの通電モジュールと、を含み、
各前記導電部材には他方の導電部材へ延びるように垂設されている少なくとも一本の導電突出部をそれぞれ有し、前記二本の導電部材はそれぞれ電源の正極と負極とに接続されており、
前記棚はガラス板と前記ガラス板の奥側に設置された後飾りテープとを含み、前記後飾りテープは奥側が開口する収容チャンバーを有し、前記収容チャンバーの前側壁には、間隔をおいて配置されている複数のランプ孔を有し、
前記ＬＥＤライトバーには、前記複数のランプ孔にそれぞれ対応する複数のＬＥＤランプがあり、前記ＬＥＤライトバーは前記収容チャンバーに収容されており、且つ両端からそれぞれ正極電源線と負極電源線とが延出しており、
前記二つの通電モジュールは、前記ＬＥＤライトバーの両端に接続されており、且つそれぞれ前記正極電源線と前記負極電源線とに接続されており、前記正極電源線と前記負極電源線とをそれぞれ対応する導電突出部に電気的に接続させるように構成されていることを特徴とする冷凍設備用の発光棚モジュール。
【請求項２】
前記ＬＥＤライトバーは、透明なシール材で前記後飾りテープの前記収容チャンバーに封入されていることを特徴とする請求項１に記載の冷凍設備用の発光棚モジュール。
【請求項３】
前記透明なシール材がエポキシ樹脂であることを特徴とする請求項２に記載の冷凍設備用の発光棚モジュール。
【請求項４】
前記複数のＬＥＤライトバーは、それぞれ前記複数のランプ孔から延び出しており、前記ガラス板の後面に貼合わせていることを特徴とする請求項１ないし３のいずれか一項に記載の冷凍設備用の発光棚モジュール。
【請求項５】
前記ガラス板の下面にスクリーン印刷層が設けられており、前記スクリーン印刷層には白色またはカラーのパターンを有することを特徴とする請求項１ないし４のいずれか一項に記載の冷凍設備用の発光棚モジュール。
【請求項６】
前記スクリーン印刷層は、光散乱顔料で前記ガラス板の下面をスクリーン印刷することで形成されていることを特徴とする請求項５に記載の冷凍設備用の発光棚モジュール。
【請求項７】
前記スクリーン印刷層は、前記ガラス板の下面に複数の格子模様をスクリーン印刷することで形成されていることを特徴とする請求項５に記載の冷凍設備用の発光棚モジュール。
【請求項８】
前記ガラス板の少なくとも一つの面が、エッチングによってスクラブ面に形成されていることを特徴とする請求項５に記載の冷凍設備用の発光棚モジュール。
【請求項９】
前記後飾りテープの正面側には前記ガラス板の後面側を収容するための第一収容溝を有することを特徴とする請求項１ないし８のいずれか一項に記載の冷凍設備用の発光棚モジュール。
【請求項１０】
前記棚は、さらに、前記ガラス板の前側に設置された前飾りテープを含むことを特徴とする請求項９に記載の冷凍設備用の発光棚モジュール。
【請求項１１】
前記前飾りテープの後面側には前記ガラス板の正面側を収容するための第二収容溝を有することを特徴とする請求項１０に記載の冷凍設備用の発光棚モジュール。
【請求項１２】
前記棚は、さらに、前記ガラス板の左側に設置された左飾りテープ及び右側に設置された右飾りテープの少なくとも一つを含むことを特徴とする請求項１ないし１１のいずれか一項に記載の冷凍設備用の発光棚モジュール。
【請求項１３】
前記導電部材は、導電柱であることを特徴とする請求項１ないし１２のいずれか一項に記載の冷凍設備用の発光棚モジュール。
【請求項１４】
前記後飾りテープの左右両端の下面には、それぞれ孔部を有し、前記孔部の上端が前記収容チャンバーに連通しており、
前記各通電モジュールがスプリングとタッチボールを含み、
前記スプリングは、前記孔部内に収容されており、前記スプリングの上端が前記収容チャンバーの頂壁に押されており、前記スプリングは、対応の正極電源線又は負極電源線と接続されており、
前記タッチボールは前記孔部内に収容されており、前記孔部の下端には小径部を有し、前記スプリングを前記小径部と前記収容チャンバーの頂壁との間に止めるように、前記小径部の直径が前記タッチボールの直径より小さくなることを特徴とする請求項１３に記載の冷凍設備用の発光棚モジュール。
【請求項１５】
前記タッチボールは、ステンレス鋼ボール、銅ボール、または、銀メッキ鋼ボールであることを特徴とする請求項１４に記載の冷凍設備用の発光棚モジュール。
【請求項１６】
請求項１ないし１５のいずれか一項に記載の冷凍設備用の発光棚モジュールと、内箱と、扉と、を含み、
前記発光棚モジュールは前記内箱内に設置されており、前記内箱内の左側壁及び右側壁には、上下に間隔を有する筋溝が少なくとも一対設置されており、各前記筋溝は正面から奥へ延びており、前記発光棚モジュールの二本の導電部材は前記内箱の奥側の左右両端に縦方向に延びるように配置されており、前記少なくとも一本の導電突出部の位置がそれぞれ前記少なくとも一対の筋溝に対応しており、前記棚が対応の筋溝に置かれた時、前記ＬＥＤランプの正極電源線と負極電源線とがそれぞれ対応の前記導電突出部に電気的に接続されており、  
前記扉は前記内箱に開閉自由に枢着されていることを特徴とする冷凍設備。
【請求項１７】
前記導電部材は金属の導電柱であり、前記導電柱は前記内箱に埋設されていることを特徴とする請求項１６に記載の冷凍設備。
【請求項１８】
前記導電部材の電源は、前記扉に接続された扉ランプのスイッチによって制御されていることを特徴とする請求項１７に記載の冷凍設備。
【請求項１９】
前記冷凍設備は、冷蔵庫またはワインセラーであることを特徴とする請求項１６に記載の冷凍設備。
【発明の詳細な説明】
【技術分野】
【０００１】
本発明は、冷凍設備領域に関し、特に冷凍設備用の発光棚モジュール、およびそれを備えた冷凍設備に関する。
【背景技術】
【０００２】
従来の冷蔵庫において、天井用照明灯または側壁用照明灯が設置されている。この場合、冷蔵庫の内箱にたくさんのものを入れると、内箱の真ん中において遮蔽されるため、照明強度が足りなく、特に中間や下部のガラス板の奥部、および、野菜箱において、照明強度が足りなくなる。
【発明の概要】
【課題を解決するための手段】
【０００３】
本発明は、少なくとも一つの従来技術問題を解決する。そのため、本発明の一つの目的は、簡単な構造であり、充分な照明強度を有する発光棚モジュールを提出することにある。
【０００４】
本発明のもう一つ目的は、前記発光棚モジュールを備えた冷凍設備を提出することにある。
【０００５】
本発明の第一側面の実施例による冷凍設備用の発光棚モジュールは、縦方向に沿って延びている二本の導電部材と、棚と、ＬＥＤライトバーと、二つの通電モジュールと、を含み、各前記導電部材には他方の導電部材へ延びるように垂設されている少なくとも一本の導電突出部をそれぞれ有し、前記二本の導電部材はそれぞれ電源の正極と負極とに接続されており、前記棚はガラス板と前記ガラス板の奥側に設置された後飾りテープとを含み、前記後飾りテープは奥側が開口する収容チャンバーを有し、前記収容チャンバーの前側壁には、間隔をおいて配置されている複数のランプ孔を有し、前記ＬＥＤライトバーには、前記複数のランプ孔にそれぞれ対応する複数のＬＥＤランプがあり、前記ＬＥＤライトバーは前記収容チャンバーに収容されており、且つ両端からそれぞれ正極電源線と負極電源線とが延出しており、前記二つの通電モジュールは、前記ＬＥＤライトバーの両端に接続されており、且つそれぞれ前記正極電源線と前記負極電源線とに接続されており、前記正極電源線と前記負極電源線とをそれぞれ対応する導電突出部に電気的に接続させるように構成されている。
【０００６】
本発明実施例の発光棚モジュールによれば、棚領域全体の照明が実現され、その構造が簡単であり、取り付けやすく、コストも低い。また、本発明の発光棚モジュールが冷凍設備に応用される場合、棚が任意の一対の導電部材の電源と導通して電源の供給を取得して、棚が任意の位置で置かれても照明され、簡単で便利であり、充分な照明が得られる。
【０００７】
本発明の一つの実施例によれば、前記ＬＥＤライトバーは透明なシール材で前記後飾りテープの前記収容チャンバーに封入されている。これによって、発光棚モジュールの防水性と防食性を向上することができる。
【０００８】
選択できるのは、前記透明なシール材がエポキシ樹脂である。
【０００９】
本発明の一つの実施例によれば、前記複数のＬＥＤライトバーは、それぞれ前記複数のランプ孔から延び出しており、前記ガラス板の後面に貼合わせている。
【００１０】
本発明の一つの実施例によれば、前記ガラス板の下面にスクリーン印刷層が設けられており、前記スクリーン印刷層には白色またはカラーのパターンを有する。
【００１１】
したがって、光線がガラス板の奥側からガラス板に入り、繰り返し屈折されてから最終的にガラス板の前側から射出される。反射・屈折の過程において、光線がスクリーン印刷層を透過して射出され、これによって、スクリーン印刷の表面が発光する効果が得られる。また、ユーザの指紋でガラス板の表面を汚染することを回避することができる。
【００１２】
選択できるのは、前記スクリーン印刷層は、光散乱顔料で前記ガラス板の下面をスクリーン印刷することで形成されている。
【００１３】
選択できるのは、前記スクリーン印刷層は、前記ガラス板の下面に複数の格子模様をスクリーン印刷することで形成されている。
【００１４】
選択できるのは、前記ガラス板の少なくとも一つの面が、エッチングによってスクラブ面に形成されている。
【００１５】
白板ガラス板の中に金属イオンが少ないので、光透過率が高く、ガラス板の中の光減衰も少ない。光散乱顔料でガラス板の下面をスクリーン印刷するか、またはガラス板の一面や両面をエッチングによってスクラブ面に形成することで、ガラス板の内部で屈折された光線を比較的均一に散乱させることができる。また、ガラス板の全表面をスクラブ面に形成させたので、ガラス板に指紋や埃などの汚れが付着しても、肉眼で見ることが難しい。これによって、外観の意匠性を高めることができる。
【００１６】
本発明の一つの実施例によれば、前記後飾りテープの正面側には前記ガラス板の後面側を収容するための第一収容溝を有する。
【００１７】
本発明の一つの実施例によれば、前記棚は、さらに、前記ガラス板の前側に設置された前飾りテープを含む。
【００１８】
選択できるのは、前記前飾りテープの後面側には前記ガラス板の正面側を収容するための第二収容溝を有する。
【００１９】
本発明の一つの実施例によれば、前記棚は、さらに、前記ガラス板の左側に設置された左飾りテープ及び右側に設置された右飾りテープの少なくとも一つを含む。
【００２０】
本発明の一つの実施例によれば、前記導電部材は、導電柱または導電線である。
【００２１】
本発明の一つの実施例によれば、前記後飾りテープの左右両端の下面には、それぞれ孔部を有し、前記孔部の上端が前記収容チャンバーに連通しており、各導電モジュールがスプリングとタッチボールを含み、前記スプリングは、前記孔部内に収容されており、前記スプリングの上端が前記収容チャンバーの頂壁に押されており、前記スプリングは、対応の正極電源線又は負極電源線と接続されており、前記タッチボールは前記孔部内に収容されており、前記孔部の下端には小径部を有し、前記スプリングを前記小径部と前記収容チャンバーの頂壁との間に止めるように、前記小径部の直径が前記タッチボールの直径より小さくなる。
【００２２】
したがって、導電モジュールが導電部材の導電突出部に電気的に接続された場合、導電突出部はタッチボールを孔部内に押さえ、更に、スプリングの作用によりタッチボールと導電突出部との間に圧力があり、これによって、確実な電気的接続を保証できる。
【００２３】
選択できるのは、前記タッチボールは、ステンレス鋼ボール、銅ボール、または、銀メッキ鋼ボールである。
【００２４】
本発明の第二側面の実施例による冷凍設備は、本発明の第一側面の実施例に記載の発光棚モジュールと、内箱と、扉と、を含み、前記発光棚モジュールは前記内箱に設置されており、前記内箱内の左側壁と右側壁には、上下に間隔を有する筋溝が少なくとも一対設置されており、各前記筋溝は正面から奥へ延びており、前記発光棚モジュールの二本の導電部材は前記内箱の奥側の左右両端に縦方向に延びるように配置されており、前記少なくとも一本の導電突出部の位置がそれぞれ前記少なくとも一対の筋溝に対応しおり、前記棚が対応の筋溝に置かれた時、前記ＬＥＤランプの正極電源線と負極電源線とがそれぞれ対応の前記導電突出部に電気的に接続されており、前記扉は前記内箱に開閉自由に枢着されている。
【００２５】
選択できるのは、前記導電部材は金属の導電柱であり、前記導電柱は前記内箱に埋設されている。
【００２６】
選択できるのは、前記導電部材の電源が、前記扉に接続された扉ランプのスイッチによって制御されている。
【００２７】
選択できるのは、前記冷凍設備は、冷蔵庫またはワインセラーである。
【図面の簡単な説明】
【００２８】
本発明の上述又／或いは付加的方面とメリットは、下記の図面を結合した実施例に対する説明において、明らかになり、理解されることが容易になる。その中で、
【図１】本発明の実施例の発光棚モジュールの模式図である。
【図２ａ】図１に示す発光棚モジュールの棚の組み立て図である。
【図２ｂ】図２ａにおいてＡ部の拡大図である。
【図３ａ】図１に示す発光棚モジュールの棚のほかの角度からの組み立て図である。
【図３ｂ】図３ａにおいてＢ部の拡大図である。
【図４ａ】図１に示す発光棚モジュールの立体図である。
【図４ｂ】図４ａにおいてＣ部の拡大図である。
【図５ａ】図１に示す発光棚モジュールの正面図である。
【図５ｂ】図５ａにおいてＤ-Ｄ向きの断面図である。
【図５ｃ】図５ｂにおいてＥ部の拡大図である。
【図６】図１に示す発光棚モジュールの正面図であり、その中にスクリーン印刷層を示している。
【図７】本発明実施例の冷凍設備の立体図である。
【図８】図７に示す冷凍設備のほかの角度からの立体図である。
【図９】図８においてＭ部の拡大図である。
【図１０】図８においてＮ部の拡大図である。
【発明を実施するための形態】
【００２９】
以下に、本発明の実施例を詳細に説明する。前記実施例の実例が図面において示されるが、一貫して同一または類似する符号は、相同又は類似の部品、或いは、相同又は類似の機能を有する部品を表す。以下に、図面を参照しながら説明される実施例が例示性のものであり、本発明を解釈するためだけに用いられるものであって、本発明を制限するように理解されてはならない。
【００３０】
本発明に対する説明において、用語である「縦方向」、「横方向」、「上」、「下」、「前」、「後」、「左」、「右」、「鉛直」、「水平」、「頂」、「底」、「内」、「外」などで表される方位又は位置関係は、図面に示す方位又は位置関係に基づき、本発明を便利にまたは簡単に説明するために使用されるものであり、指定された装置又は部品が特定の方位にあり、特定の方位において構造され、操作されると指示又は暗示するものではないため、本発明に対する限定と理解してはいけない。なお、用語である「第一」、「第二」は説明のためだけに用いられるものであり、比較的な重要性を指示又は暗示するか、或いは示された技術特徴の数を黙示的に明示すると理解してはいけない。そこで、「第一」、「第二」が限定されている特徴は一つ又はより多くのこの特徴を含むことを明示又は暗示するのである。本発明の説明において、明確且つ具体的な限定がない限り、「複数」とは、二つ又は二つ以上のことを意味する。
【００３１】
本発明の説明において、明確な規定と限定がない限り、「取り付け」、「互いに接続」、「接続」、「固定」などの用語の意味は広く理解されるべきである。例えば、固定接続や、着脱可能な接続や、あるいは一体的な接続でも可能である。機械的な接続でも、通信でも可能である。直接的に接続することや、中間媒体を介して間接的に接続することや、二つの部品の内部が連通することも可能である。当業者にとって、具体的な状況に応じて上記用語の発明中の具体的な意味を理解することができる。
【００３２】
次は、まず図７ないし図１０を参照しながら本発明の実施例の冷凍設備を説明する。冷凍設備は、冷蔵庫、ワインセラー、または、ほかの類似の冷凍設備であることができる。本発明の以下の説明には、いずれも冷蔵庫を例として、冷凍設備を説明する。
【００３３】
図７と図８に示すように、冷凍設備は、内箱２００、内箱２００内に設置される発光棚モジュール１００、および、扉（図に未表示）を含む。その中に、内箱２００の左側壁及び右側壁には、上下に間隔を有する筋溝２１０が少なくとも一対設置されており、各筋溝２１０は正面から奥へ延びている。扉は内箱２００に開閉自由に枢着されている。本発明の実施例による発光棚モジュール１００について、以下に、図１ないし図６を参照しながら詳細に説明する。
【００３４】
本発明の実施例による発光棚モジュール１００は、縦方向に沿って延びている二本の導電部材１と、棚２と、ＬＥＤテープライト３と、二つの導電モジュール４と、を含む。図１に示すように、各導電部材１には他方の導電部材１へ延びるように垂設されている少なくとも一本の導電突出部１１をそれぞれ有し、二本の導電部材１はそれぞれ正極導線１２及び負極導線１３を通して電源の正極及び負極に接続されている。選択できるのは、当該電源が、扉に連続された扉ランプのスイッチ（図に未表示）によって制御される。冷蔵庫を例とする場合、二本の導電部材１は、内箱２００の奥側の左右両端に縦方向に延びるように配置されており、その中に、少なくとも一本の導電突出部１１の位置がそれぞれ少なくとも一対の筋溝２１０に対応している。言い換えれば、棚２をその中の一対の筋溝２１０に設置すると、棚２の後面側がちょうど導電突出部１１の位置に対応する。複数対の筋溝２１０を設置することによって、棚２の位置を調整することができる。
【００３５】
図２ａ-５ｃに示すように、棚２は、ガラス板２１とガラス板２１の奥側に設置された後飾りテープ２２とを含む。図２ａに示すように、後飾りテープ２２は、奥側が開口する収容チャンバー２２１を有し、収容チャンバー２２１の前側壁には、間隔をおいて配置されている複数のランプ孔２２１１を有する。選択できるのは、後飾りテープ２２の正面側がガラス板２１の後面側を収容するための第一収容溝２２２を有する。当然、本発明はこれに限らず、後飾りテープ２２の正面側とガラス板２１の後面側とが接着によって連結されることができる。
【００３６】
ＬＥＤテープライト３には、複数のランプ孔２２１１にそれぞれ対応する複数のＬＥＤランプ３１があり、ＬＥＤテープライト３は収容チャンバー２２１に収容されており、複数のランプ孔２２１１の位置及び大きさ全体がＬＥＤランプにマッチしている。すなわち、各ＬＥＤランプ毎は一つずつのランプ孔２２１１に対応する。図３ａに示すように、ＬＥＤテープライト３の両端からそれぞれ正極電源線３２と負極電源線３３とが延び出している。
【００３７】
二つの導電モジュール４はＬＥＤテープライト３の両端に接続されており、且つそれぞれ正極電源線３２と負極電源線３３とに接続されており、導電モジュール４は、正極電源線３２と負極電源線３３とをそれぞれに対応する導電突出部１１に電気的に接続させるように構成されている。このような配置の利点として、二つの導電モジュール４の間の距離が広いので、冷凍設備の内箱に水蒸気が多い場合でも、電気的ショートになることはない。具体的に、棚２をその中の一対の筋溝２１０に設置した場合、棚２の後面側が相応の一対の導電突出部１１の位置に対応する。この場合、導電モジュール４によって、正極電源線３２と負極電源線３３とを当該一対の導電突出部１１に電気的に接続させ、即ち、導通させて、ＬＥＤランプ３１が点灯する。したがって、光線がガラス板２１の奥側から入り、ガラス板２１内で繰り返し屈折され、最終的にガラス板２１の前側に反射される。これによって、棚２を全体的に発光させ、内箱２００の中に渡って充分な照明を行うことができる。
【００３８】
本発明の実施例の発光棚モジュール１００によれば、棚２の全領域を照明でき、その構造が簡単であり、取り付けやすく、コストも低い。また、本発明の発光棚モジュールを冷凍設備に応用する場合、棚２を任意の一対の筋溝２１０に差し込んでも、導電部材１の電源に導通して電源の供給を取得し、棚２が任意の位置に置かれても照明され、簡単で便利であり、充分な照明が得られる。
【００３９】
好ましくは、ＬＥＤテープライト３は、透明なシール材（図に未表示）で後飾りテープ２２の収容チャンバー２２１に封入される。すなわち、導電モジュール４を除いた電気部品全体が透明なシール材の中に封入される。したがって、発光棚モジュール１００の防水性と防食性を向上させることができる。選択できるのは、透明なシール材は、エポキシ樹脂、または、ほかの透明なシール材料である。
【００４０】
いくつかの選択可能な実施例には、複数のＬＥＤテープライト３１は、それぞれ複数のランプ孔２２１１から延び出しており、ガラス板２１の後面に貼合わせている。したがって、ＬＥＤテープライト３１をガラス板２１の後面に貼合わせているので、光線が容易にガラス板２１の奥側からガラス板２１に入射する。
【００４１】
本発明のいくつかの実施例によれば、ガラス板２１は白板ガラス板であり、しかも、図６に示すように、ガラス板２１の下面にスクリーン印刷層２４が設けられており、スクリーン印刷層２４は白色またはカラーのパターンを有する。したがって、光線がガラス板２１の奥側からガラス板２１内に入り、繰り返し屈折されてから、最終的にガラス板２１の前側から射出される。反射・屈折の過程において、光線がスクリーン印刷層２４を透過して射出され、スクリーン印刷の表面が発光する効果が得られる。また、ユーザの指紋でガラス板２１の表面を汚染することを回避することができる。選択できるのは、スクリーン印刷層は、光散乱顔料でガラス板２１の下面をスクリーン印刷することで形成されている。または、スクリーン印刷層は、ガラス板２１の下面に複数の格子模様をスクリーン印刷することで形成される。さらに、ガラス板２１の少なくとも一つの面が、エッチングによってスクラブ面に形成される。
【００４２】
白板ガラス板の中に金属イオンが少ないので、光透過率が高く、ガラス板の中の光減衰も少ない。光散乱顔料でガラス板の下面にスクリーン印刷するか、またはガラス板の一面や両面をエッチングによってスクラブ面に形成することで、ガラス板２１の内部で屈折された光線が比較的均一に散乱される。また、ガラス板２１の全表面をスクラブ面に形成させたので、ガラス板２１に指紋や埃などの汚れが付着しても、肉眼で見ることが難しい。これによって、外観の意匠性を高めることができる。
【００４３】
図２ａ-５ａに示すように、本発明の一つの実施例において、棚２は、さらに、ガラス板２１の前側に設置された前飾りテープ２３を含む。これによって、美観となる。選択できるのは、前飾りテープ２３の後面側にはガラス板２１の正面側を収容するための第二収容溝２３１を有する。当然、本発明はこれに限らず、前飾りテープ２３の後面側とガラス板２１の正面側とが接着によって連結されることができる。
【００４４】
当然、前飾りテープ２３を有する実施例が選択されることができる。棚２の前側に前飾りテープ２３を設置しなくてもよい。このように、ガラス板２１の中の光線の一部がガラス板２１の前側の表面から射出され、明るい光束となる。さらに、選択できるのは、棚２は、さらに、ガラス板２１の左側に設置された左飾りテープ及び右側に設置された右飾りテープの少なくとも一つ（図に未表示）を含む。
【００４５】
導電部材１は、導電柱または導電線であることができる。図７ないし図１０に示す例において、導電部材１は、垂設された金属導電柱である。そのうち、冷凍設備の内箱２００内にパンチング工具で導電突出部の埋設溝（図に未表示）とする。発泡するとき、導電部材１を内箱２００の奥側の両端に埋設させる。信頼性を上げるため、一方の導電部材１は正極リード１２を介して電源正極に接続されており、他方の導電部材１は負極リード１３を介して電源負極に接続されており、電圧がＤＣ１２Ｖである。図７と図８に示すように、このとき、導電モジュール４に接続されて棚２の奥側のＬＥＤランプ３１を点灯するように、導電突出部１１は、コーム歯のように導電部材１から発泡層を通過して、内箱２００の内部へ延びている。
【００４６】
本発明のいくつかの好ましい実施例によれば、図４ａ-５ｃに示すように、後飾りテープ２２の左右両端の下面が、それぞれ孔部２２３を有し、孔部２２３の上端が収容チャンバー２２１に連通している。各導電モジュール４がスプリング４１とタッチボール４２を含む。当然、当業者が分かるように、スプリング４１及びタッチボール４２全体は、導電材料からなる。図５ｃに示すように、スプリング４１は、孔部２２３内に収容されており、スプリング４１の上端が収容チャンバー２２１の頂壁に押されており、スプリング４１は、対応の正極電源線３２又は負極電源線３３と接続されている。すなわち、ＬＥＤテープライト３の正極電源線３２一方側のスプリング４１は、正極電源線３２に接続されており、他方側のスプリング４１は、負極電源線３３に接続されている。
【００４７】
タッチボール４２は孔部２２３内に収容されており、孔部２２３の下端には小径部２２３１を有する。スプリング４１を小径部２２３１と収容チャンバー２２１の頂壁との間に止めるように、小径部２２３１の直径がタッチボール４２の直径より小さくなる。したがって、スプリング４１の作用によって、タッチボール４２は、孔部２２３の底部まで押さえられ、その一部が下へ露出して対応する導電突出部１１に接続して電源を導通する。しかし、導電突出部１１からタッチボール４２に上向きの力を加える場合、タッチボール４２は、一方向的に上へジャンプできる。選択できるのは、タッチボール４２は、ステンレス鋼ボール、銅ボール、または、銀メッキ鋼ボールである。
【００４８】
したがって、導電モジュール４は、内箱２００内に埋設された導電部材１の導電突出部１１に電気的に接続された場合、導電突出部１１はタッチボール４２を孔部２２３内に押さえ、更に、スプリング４１の作用によりタッチボール４２と導電突出部１１との間に圧力があって、確実な電気的接続を保証できる。また、スプリングタッチボールのような導電モジュールを利用して、タッチボールが転動するため、スプリングとタッチボールとの電気的接触が唯一でなくなり、接触点の寿命が長くなる。
【００４９】
次に、図１ないし図１０を参照しながら、本発明の実施例による発光棚モジュール１００の冷凍設備における作動過程を説明する。
【００５０】
図７と図８に示すように、棚２をその中の一対の筋溝２１０に設置すると、棚２の後面側の後飾りテープ２２が一対の導電突出部１１の位置に対応する。すなわち、後飾りテープ２２に接続された導電モジュール４は、導電突出部１１に電気的に接続されている。具体的に、図９と図１０に示すように、タッチボール４２が導電突出部１１と接触した後に、導電突出部１１によって、孔部２２３内に押さえられ、更に、スプリング４１の作用によりタッチボール４２と導電突出部１１との間に圧力があり、これによって、導電突出部１１とタッチボール４２とスプリング４１との間に確実な電気的接続を保証できる。同時に、ＬＥＤテープライト３の正極電源線３２と負極電源線３３とは、それぞれ対応側のスプリング４１に接続される。このように、ＬＥＤテープライト３と導電部材１との間の電気的接続を実現して、扉に接続された扉ランプのスイッチ（図に未表示）によって導電部材１の電源導通を制御し、次第に、ＬＥＤテープライトへの電源の供給を実現し、即ち、棚２の照明を実現する。
【００５１】
棚２をほかの一つの筋溝２１０に移動させる場合、上述した過程と同様の過程により、照明を実現する。また、内箱２００内に複数の棚２を設置することもできる。このように、複数の棚２を同時に点灯し、内箱２００内の照明がもっと十分となり、死角がない。
【００５２】
本発明の実施例による冷凍設備のほかの構造等および作動は当業者にとって既知的なものであり、ここで、詳しい説明を省略する。
【００５３】
本発明の説明において、「一つの実施例」、「一部の実施例」、「示例」、「具体示例」或いは「一部の示例」など用語を参考した説明とは、該実施例或いは示例に結合して説明された具体的特徴、構成、材料或いは特徴が、本発明の少なくとも一つの実施例或いは示例に含まれることである。本明細書において、上記用語に対する例示的な表述は、必ずしも同じ実施例或いは示例を示すことではない。又、説明された具体的特徴、構成、材料或いは特徴は、いずれかの一つ或いは複数の実施例又は示例において適切に結合することができる。
【００５４】
本発明の実施例を示して説明したが、当業者は、本発明の原理及び主旨から逸脱しない限りこれらの実施例に対して複数の変化、補正、切り替え及び変形を行うことができる。本発明の範囲は、特許請求の範囲及びその等価物により限定される。
【符号の説明】
【００５５】
１：導電部材、
２：棚、
３：ＬＥＤテープライト、
４：導電モジュール、
１１：導電突出部、
１２：正極リード、
１３：負極リード、
２１：ガラス板、
２２：後飾りテープ、
２３：前飾りテープ、
２４：スクリーン印刷層、
３１：ＬＥＤランプ、
３２：正極電源線、
３３：負極電源線、
４１：スプリング、
４２：タッチボール、
１００：発光棚モジュール、
２００：内箱、
２１０：筋溝  
２２１：収容チャンバー、
２２２：第一収容溝、
２２３：孔部、
２３１：第二収容溝、
２２１１：ランプ孔、
２２３１：小径部、
【図１】
0006259103.tif 000002
【図２ａ】
0006259103.tif 000003
【図２ｂ】
0006259103.tif 000004
【図３ａ】
0006259103.tif 000005
【図３ｂ】
0006259103.tif 000006
【図４ａ】
0006259103.tif 000007
【図４ｂ】
0006259103.tif 000008
【図５ａ】
0006259103.tif 000009
【図５ｂ】
0006259103.tif 000010
【図５ｃ】
0006259103.tif 000011
【図６】
0006259103.tif 000012
【図７】
0006259103.tif 000013
【図８】
0006259103.tif 000014
【図９】
0006259103.tif 000015
【図１０】
0006259103.tif 000016